(57)【要約】【課題】共有電話帳を用いて行われた発信の着信時に、発信者の仲介者の情報（情報取得経緯）を受信者に対して通知できる通信システム、情報処理装置および通信方法を提供する。【解決手段】ユーザ端末間で通信を行う際に、仲介者によって公開されている匿名化されたユーザ情報に基づいて通信を可能とする通信システムであって、ユーザ端末は、仲介者が誰であり、どのような理由や方法でユーザ情報を取得したのかを示す仲介者情報を表示する仲介者情報表示手段を有する。【選択図】図１
2008193343.tif 000002
【特許請求の範囲】
【請求項１】
ユーザ端末間で通信を行う際に、仲介者によって公開されている匿名化されたユーザ情報に基づいて前記通信を可能とする通信システムであって、
前記ユーザ端末は、
少なくとも前記仲介者が誰であるのかを示す仲介者情報を表示する仲介者情報表示手段を有することを特徴とする通信システム。
【請求項２】
前記ユーザ端末は、発信者のユーザ端末、仲介者のユーザ端末、受信者のユーザ端末であり、
前記匿名化されたユーザ情報を解決して、前記発信者のユーザ端末から前記受信者のユーザ端末へのアクセスを可能にする匿名アクセス提供装置をさらに有し、
前記仲介者のユーザ端末または該仲介者のユーザ端末がアクセス可能なユーザ情報管理装置は、
前記ユーザ情報の登録及び管理、並びに、該ユーザ情報を前記発信者のユーザ端末に公開する際のポリシの設定を行う電話帳エントリ管理手段と、
前記発信者のユーザ端末に対して、前記ユーザ情報を匿名化して提供する匿名化手段と、
を有することを特徴とする請求項１記載の通信システム。
【請求項３】
前記仲介者情報は、前記発信者のユーザ端末、前記仲介者のユーザ端末、前記ユーザ情報管理装置のいずれかによって、前記匿名化されたユーザ情報に付加されることを特徴とする請求項２記載の通信システム。
【請求項４】
前記匿名化手段は、
前記仲介者情報を示す第１の識別情報を前記匿名化されたユーザ情報に付加し、
前記発信者のユーザ端末を介して、前記第１の識別情報を受信した前記匿名アクセス提供装置または前記受信者のユーザ端末が、該第１の識別情報を用いて前記仲介者のユーザ端末または前記ユーザ情報管理装置に問い合わせることによって、前記仲介者情報を取得することを特徴とする請求項２記載の通信システム。
【請求項５】
前記匿名化手段による前記ユーザ情報の匿名化、および、前記匿名アクセス提供装置による前記匿名化されたユーザ情報の解決は、暗号方式を用いて行われることを特徴とする請求項２から４のいずれか１項に記載の通信システム。
【請求項６】
前記匿名化手段による前記ユーザ情報の匿名化、および、前記匿名アクセス提供装置による前記匿名化されたユーザ情報の解決は、あらかじめ設定された共通の暗号鍵を用いて行われることを特徴とする請求項５記載の通信システム。
【請求項７】
前記発信者のユーザ端末は、
前記仲介者のユーザ端末または前記ユーザ情報管理装置から、前記匿名化されたユーザ情報の代わりとして、取得対象であるユーザ情報を示す第２の識別情報を取得し、該第２の識別情報を前記匿名アクセス提供装置へ送信し、
前記匿名アクセス提供装置は、
前記発信者のユーザ端末から前記第２の識別情報を受信した場合、前記仲介者のユーザ端末または前記ユーザ情報管理装置と通信することにより前記第２の識別情報を解決し、前記発信者のユーザ端末から前記受信者のユーザ端末へのアクセスを可能にすることを特徴とする請求項２から６のいずれか１項に記載の通信システム。
【請求項８】
前記匿名化手段は、
前記発信者のユーザ端末が前記匿名化されたユーザ情報を用いて前記受信者のユーザ端末にアクセスできる少なくとも１以上の条件を設定できることを特徴とする請求項２から７のいずれか１項に記載の通信システム。
【請求項９】
前記ユーザ情報は、名前、電話番号、メールアドレス、ウェブページまたはサービスへのリンク、住所、コメント、メモ情報、電話帳エントリの属性を示すメタ情報のうち少なくとも１つを含むことを特徴とする請求項１から８のいずれか１項に記載の通信システム。
【請求項１０】
請求項１から９のいずれか１項に記載の通信システムにおいて、ユーザ端末として用いられることを特徴とする情報処理装置。
【請求項１１】
請求項１から９のいずれか１項に記載の通信システムにおいて、匿名アクセス提供装置として用いられることを特徴とする情報処理装置。
【請求項１２】
請求項１から９のいずれか１項に記載の通信システムにおいて、ユーザ情報管理装置として用いられることを特徴とする情報処理装置。
【請求項１３】
ユーザ端末間で通信を行う際に、仲介者によって公開されている匿名化されたユーザ情報に基づいて前記通信を可能とする通信方法であって、
前記ユーザ端末は、
少なくとも前記仲介者が誰であるのかを示す仲介者情報を表示する仲介者情報表示ステップを有することを特徴とする通信方法。
【請求項１４】
前記ユーザ端末は、発信者のユーザ端末、仲介者のユーザ端末、受信者のユーザ端末であり、
匿名アクセス提供装置により、前記匿名化されたユーザ情報を解決して、前記発信者のユーザ端末から前記受信者のユーザ端末へのアクセスを可能にし、
前記仲介者のユーザ端末または該仲介者のユーザ端末がアクセス可能なユーザ情報管理装置は、
前記ユーザ情報の登録及び管理、並びに、該ユーザ情報を前記発信者のユーザ端末に公開する際のポリシの設定を行う電話帳エントリ管理ステップと、
前記発信者のユーザ端末に対して、前記ユーザ情報を匿名化して提供する匿名化ステップと、
を有することを特徴とする請求項１３記載の通信方法。
【請求項１５】
前記仲介者情報は、前記発信者のユーザ端末、前記仲介者のユーザ端末、前記ユーザ情報管理装置のいずれかによって、前記匿名化されたユーザ情報に付加されることを特徴とする請求項１４記載の通信方法。
【請求項１６】
前記匿名化ステップでは、前記仲介者情報を示す第１の識別情報を前記匿名化されたユーザ情報に付加し、
前記発信者のユーザ端末を介して、前記第１の識別情報を受信した前記匿名アクセス提供装置または前記受信者のユーザ端末が、該第１の識別情報を用いて前記仲介者のユーザ端末または前記ユーザ情報管理装置に問い合わせることによって、前記仲介者情報を取得することを特徴とする請求項１４記載の通信方法。
【請求項１７】
前記匿名化ステップによる前記ユーザ情報の匿名化、および、前記匿名アクセス提供装置による前記匿名化されたユーザ情報の解決は、暗号方式を用いて行われることを特徴とする請求項１４から１６のいずれか１項に記載の通信方法。
【請求項１８】
前記匿名化ステップによる前記ユーザ情報の匿名化、および、前記匿名アクセス提供装置による前記匿名化されたユーザ情報の解決は、あらかじめ設定された共通の暗号鍵を用いて行われることを特徴とする請求項１７記載の通信方法。
【請求項１９】
前記発信者のユーザ端末は、
前記仲介者のユーザ端末または前記ユーザ情報管理装置から、前記匿名化されたユーザ情報の代わりとして、取得対象であるユーザ情報を示す第２の識別情報を取得し、該第２の識別情報を前記匿名アクセス提供装置へ送信し、
前記匿名アクセス提供装置は、
前記発信者のユーザ端末から前記第２の識別情報を受信した場合、前記仲介者のユーザ端末または前記ユーザ情報管理装置と通信することにより前記第２の識別情報を解決し、前記発信者のユーザ端末から前記受信者のユーザ端末へのアクセスを可能にすることを特徴とする請求項１４から１８のいずれか１項に記載の通信方法。
【請求項２０】
前記仲介者のユーザ端末または前記ユーザ情報管理装置は、
前記発信者のユーザ端末が前記匿名化されたユーザ情報を用いて前記受信者のユーザ端末にアクセスできる少なくとも１以上の条件を設定できることを特徴とする請求項１４から１９のいずれか１項に記載の通信方法。
【請求項２１】
前記ユーザ情報は、名前、電話番号、メールアドレス、ウェブページまたはサービスへのリンク、住所、コメント、メモ情報、電話帳エントリの属性を示すメタ情報のうち少なくとも１つを含むことを特徴とする請求項１３から２０のいずれか１項に記載の通信方法。
【発明の詳細な説明】
【技術分野】
【０００１】
本発明は、匿名性を保持したまま電話帳を共有する通信システム、情報処理装置および通信方法に関する。
【背景技術】
【０００２】
近年、ＳＮＳ（Social Networking Service）などの一般化によって、人と人のつながりが促進されている。その一方で、プライバシーの守秘など、保持する個人情報の管理に関しても留意しなければならない。
【０００３】
携帯電話の電話帳など、人とのつながりを管理するサービス・アプリケーションにおいても、より多くの社会的な機能が付加されていくと考えられる。
【０００４】
自分の個人情報が勝手に漏れたというような不快な思いをすることなく、知人の知人など、自分から２次以上先の人との関係を利用してコミュニケーション行う仕組みが必要である。
【０００５】
従来技術例として、電子メールを匿名同士の送信者・受信者の状態において、往信・返信可能にする技術がある（例えば、特許文献１参照）。また、登録された個人用アドレス帳の秘匿性のある情報の一部を登録者以外の他人に開示して情報送信先として利用可能とする技術がある（例えば、特許文献２参照）。
【特許文献１】特開２００４−３４２１２７号公報
【特許文献２】特開２００５−１５８０３８号公報
【発明の開示】
【発明が解決しようとする課題】
【０００６】
発信者が仲介者を通して受信者に連絡を取る場合、仲介者が受信者の電話帳エントリ情報を発信者に教える必要がある。上記特許文献１及び２の技術は、電話番号・メールアドレスなどを含む電話帳を共有し、その情報を参照する際に必要に応じて匿名化して通知し、匿名化されたまま通信を確立するような手段を提供しているが、発信者が、仲介者の共有電話帳情報を用いて受信者へ連絡をした際に、なぜ発信者が受信者と連絡する手段を得たのか（情報取得経緯）を受信者に対して通知する方法については提供されていない。
【０００７】
本発明は、上記事情に鑑みてなされたものであり、共有電話帳を用いて行われた発信の着信時に、発信者の情報取得経緯を通知する通信システム、情報処理装置および通信方法を提供することを目的とする。
【課題を解決するための手段】
【０００８】
かかる目的を達成するために、請求項１記載の発明は、ユーザ端末間で通信を行う際に、仲介者によって公開されている匿名化されたユーザ情報に基づいて通信を可能とする通信システムであって、ユーザ端末は、少なくとも仲介者が誰であるのかを示す仲介者情報を表示する仲介者情報表示手段を有することを特徴とする。
【０００９】
請求項２記載の発明は、請求項１記載の発明において、ユーザ端末は、発信者のユーザ端末、仲介者のユーザ端末、受信者のユーザ端末であり、匿名化されたユーザ情報を解決して、発信者のユーザ端末から受信者のユーザ端末へのアクセスを可能にする匿名アクセス提供装置をさらに有し、仲介者のユーザ端末または仲介者のユーザ端末がアクセス可能なユーザ情報管理装置は、ユーザ情報の登録及び管理、並びに、ユーザ情報を発信者のユーザ端末に公開する際のポリシの設定を行う電話帳エントリ管理手段と、発信者のユーザ端末に対して、ユーザ情報を匿名化して提供する匿名化手段と、を有することを特徴とする。
【００１０】
請求項３記載の発明は、請求項２記載の発明手において、仲介者情報は、発信者のユーザ端末、仲介者のユーザ端末、ユーザ情報管理装置のいずれかによって、匿名化されたユーザ情報に付加されることを特徴とする。
【００１１】
請求項４記載の発明は、請求項２記載の発明において、匿名化手段は、仲介者情報を示す第１の識別情報を匿名化されたユーザ情報に付加し、発信者のユーザ端末を介して、第１の識別情報を受信した匿名アクセス提供装置または受信者のユーザ端末が、第１の識別情報を用いて仲介者のユーザ端末またはユーザ情報管理装置に問い合わせることによって、仲介者情報を取得することを特徴とする。
【００１２】
請求項５記載の発明は、請求項２から４のいずれか１項に記載の発明において、匿名化手段によるユーザ情報の匿名化、および、匿名アクセス提供装置による匿名化されたユーザ情報の解決は、暗号方式を用いて行われることを特徴とする。
【００１３】
請求項６記載の発明は、請求項５記載の発明において、匿名化手段によるユーザ情報の匿名化、および、匿名アクセス提供装置による匿名化されたユーザ情報の解決は、あらかじめ設定された共通の暗号鍵を用いて行われることを特徴とする。
【００１４】
請求項７記載の発明は、請求項２から６のいずれか１項に記載の発明において、発信者のユーザ端末は、仲介者のユーザ端末またはユーザ情報管理装置から、匿名化されたユーザ情報の代わりとして、取得対象であるユーザ情報を示す第２の識別情報を取得し、第２の識別情報を匿名アクセス提供装置へ送信し、匿名アクセス提供装置は、発信者のユーザ端末から第２の識別情報を受信した場合、仲介者のユーザ端末またはユーザ情報管理装置と通信することにより第２の識別情報を解決し、発信者のユーザ端末から受信者のユーザ端末へのアクセスを可能にすることを特徴とする。
【００１５】
請求項８記載の発明は、請求項２から７のいずれか１項に記載の発明において、匿名化手段は、発信者のユーザ端末が匿名化されたユーザ情報を用いて受信者のユーザ端末にアクセスできる少なくとも１以上の条件を設定できることを特徴とする。
【００１６】
請求項９記載の発明は、請求項１から８のいずれか１項に記載の発明において、ユーザ情報は、名前、電話番号、メールアドレス、ウェブページまたはサービスへのリンク、住所、コメント、メモ情報、電話帳エントリの属性を示すメタ情報のうち少なくとも１つを含むことを特徴とする。
【００１７】
請求項１０記載の発明は、請求項１から９のいずれか１項に記載の通信システムにおいて、ユーザ端末として用いられることを特徴とする。
【００１８】
請求項１１記載の発明は、請求項１から９のいずれか１項に記載の通信システムにおいて、匿名アクセス提供装置として用いられることを特徴とする。
【００１９】
請求項１２記載の発明は、請求項１から９のいずれか１項に記載の通信システムにおいて、ユーザ情報管理装置として用いられることを特徴とする。
【００２０】
請求項１３記載の発明は、ユーザ端末間で通信を行う際に、仲介者によって公開されている匿名化されたユーザ情報に基づいて通信を可能とする通信方法であって、ユーザ端末は、少なくとも仲介者が誰であるのかを示す仲介者情報を表示する仲介者情報表示ステップを有することを特徴とする。
【００２１】
請求項１４記載の発明は、請求項１３記載の発明において、ユーザ端末は、発信者のユーザ端末、仲介者のユーザ端末、受信者のユーザ端末であり、匿名アクセス提供装置により、匿名化されたユーザ情報を解決して、発信者のユーザ端末から受信者のユーザ端末へのアクセスを可能にし、仲介者のユーザ端末または仲介者のユーザ端末がアクセス可能なユーザ情報管理装置は、ユーザ情報の登録及び管理、並びに、ユーザ情報を発信者のユーザ端末に公開する際のポリシの設定を行う電話帳エントリ管理ステップと、発信者のユーザ端末に対して、ユーザ情報を匿名化して提供する匿名化ステップと、を有することを特徴とする。
【００２２】
請求項１５記載の発明は、請求項１４記載の発明において、仲介者情報は、発信者のユーザ端末、仲介者のユーザ端末、ユーザ情報管理装置のいずれかによって、匿名化されたユーザ情報に付加されることを特徴とする。
【００２３】
請求項１６記載の発明は、請求項１４記載の発明において、匿名化ステップでは、仲介者情報を示す第１の識別情報を匿名化されたユーザ情報に付加し、発信者のユーザ端末を介して、第１の識別情報を受信した匿名アクセス提供装置または受信者のユーザ端末が、第１の識別情報を用いて仲介者のユーザ端末またはユーザ情報管理装置に問い合わせることによって、仲介者情報を取得することを特徴とする。
【００２４】
請求項１７記載の発明は、請求項１４から１６のいずれか１項に記載の発明において、匿名化ステップによるユーザ情報の匿名化、および、匿名アクセス提供装置による匿名化されたユーザ情報の解決は、暗号方式を用いて行われることを特徴とする。
【００２５】
請求項１８記載の発明は、請求項１７記載の発明において、匿名化ステップによるユーザ情報の匿名化、および、匿名アクセス提供装置による匿名化されたユーザ情報の解決は、あらかじめ設定された共通の暗号鍵を用いて行われることを特徴とする。
【００２６】
請求項１９記載の発明は、請求項１４から１８のいずれか１項に記載の発明において、発信者のユーザ端末は、仲介者のユーザ端末またはユーザ情報管理装置から、匿名化されたユーザ情報の代わりとして、取得対象であるユーザ情報を示す第２の識別情報を取得し、第２の識別情報を匿名アクセス提供装置へ送信し、匿名アクセス提供装置は、発信者のユーザ端末から第２の識別情報を受信した場合、仲介者のユーザ端末またはユーザ情報管理装置と通信することにより第２の識別情報を解決し、発信者のユーザ端末から受信者のユーザ端末へのアクセスを可能にすることを特徴とする。
【００２７】
請求項２０記載の発明は、請求項１４から１９のいずれか１項に記載の発明において、仲介者のユーザ端末またはユーザ情報管理装置は、発信者のユーザ端末が匿名化されたユーザ情報を用いて受信者のユーザ端末にアクセスできる少なくとも１以上の条件を設定できることを特徴とする。
【００２８】
請求項２１記載の発明は、請求項１３から２０のいずれか１項に記載の発明において、ユーザ情報は、名前、電話番号、メールアドレス、ウェブページまたはサービスへのリンク、住所、コメント、メモ情報、電話帳エントリの属性を示すメタ情報のうち少なくとも１つを含むことを特徴とする。
【発明の効果】
【００２９】
本発明によれば、受信者に対して仲介者の情報（情報取得経緯）を表示することによって、受信者が誰の紹介で自分へのアクセス情報を入手したかを知ることができ、安心してコミュニケーションを取ることが可能となる。
【発明を実施するための最良の形態】
【００３０】
以下、本発明を実施するための最良の形態について添付図面を参照して詳細に説明する。
【００３１】
本発明は、発信者が、共有電話帳エントリを参照して、受信者へ電話・メール等の連絡を行った場合に、受信者へ発信者がどのようにして受信者の情報を得たかを表示することを特徴とする。
【００３２】
図１に本発明の実施例の構成を示す。図１に示すように、本実施例の通信システムは、発信者が使用する発信者端末１と、匿名アクセス提供装置２と、受信者が使用する受信者端末３と、仲介者が使用する仲介者端末４と、を有して構成される。これら各端末装置は、ネットワークを介した通信が可能な情報処理端末装置である。
【００３３】
仲介者端末４は、図１に示すように、共有電話帳５を有する。この共有電話帳５は、図１に示すように、共有電話帳エントリの登録・管理や公開レベルの設定（ポリシ設定）を行う電話帳エントリ管理機能６と、共有電話帳エントリの参照者に対して共有電話帳エントリ内の情報を匿名化して提供する匿名化機能７と、を備える。
【００３４】
共有電話帳エントリは以下の１〜６のうち少なくとも一つを含む。
１．名前などエントリの名称
２．電話番号
３．メールアドレス
４．ウェブページまたはサービスへのリンク
５．その他（住所、コメント、メモ等情報）
６．電話帳エントリの属性を示すメタ情報（グループ名、作成日時など）
【００３５】
匿名アクセス提供装置２は、匿名化された共有電話帳エントリ内の情報を解決して、発信者端末１から受信者端末３へのアクセスを可能にする機能を有する。
【００３６】
受信者端末３は、図１に示すように、仲介データ表示装置９を備える。この仲介データ表示装置は、受信者に仲介者の情報（情報取得経緯）を表示する機能を有する。ここで、仲介者の情報（情報取得経緯）とは、上記電話帳エントリを提供した仲介者や、その仲介者がなぜ受信者を紹介したのかを示す情報である。例えば、ＡとＢとが知り合い、かつ、ＡとＣとが知り合いで、ＢとＣとは知り合いではないとし、Ａの電話帳を利用してＢがＣに連絡した場合、Ｃの端末には「Ａさんからパソコンに詳しい人という紹介で、Ｂさんから着信です。」といった仲介者の情報（情報取得経緯）が表示される。
【００３７】
なお、本実施例での説明では、発信者端末１、受信者端末３、仲介端末４は、説明の便宜上、それぞれ別々の名称としたが、各端末は同一の機能を有する。
【００３８】
次に、図１および図２を用いて、本実施例の通信システムにおける動作（通信方法）を説明する。
【００３９】
［図２のステップＳ１］
仲介者は、仲介者端末４において、電話帳エントリ管理機能６により、受信者に係る情報（共有電話帳エントリ）を共有電話帳５に作成（登録）し、発信者が共有電話帳５を参照できるように公開レベル（ポリシ）を設定する。例えば、仲介者は、自分の上司であるＡの電話番号を共有電話帳５に登録し、公開レベルを、権限Ｂを持つものに対して「上司」として公開し、その公開の際に、共有電話帳５に登録した電話番号を匿名化するという内容に設定する。
【００４０】
［図２のステップＳ２］
発信者は、発信者端末１において、仲介者端末４の共有電話帳５を参照し、受信者の電話番号を取得する。この時、仲介者端末４の共有電話帳５の匿名化機能７により、取得した電話番号は匿名化されている。例えば、権限Ｂを持つ発信者が、自身の発信者端末１を用いて、仲介者端末４の共有電話帳５を参照し、「上司」として公開されている匿名化されたＡの電話番号を取得する。なお、仲介者端末４の匿名化機能７における匿名化は、あらかじめ匿名アクセス提供装置２と共有済みの共有鍵を用いて行う。
【００４１】
［図２のステップＳ３］
発信者は、発信者端末１において、匿名化された受信者の電話番号を用いて、匿名アクセス提供装置２に発信する。その際に、発信者が誰からどのようにして受信者の電話番号を取得したかを示す仲介者の情報（情報取得経緯）を付加する。例えば、仲介者端末４の共有電話帳５から「上司」として取得したという情報を付加する。
【００４２】
［図２のステップＳ４］
匿名アクセス提供装置２は、匿名化された受信者の電話番号を解決し、発信者端末１からの発呼を受信者端末３へ着信させる。その際に、受信者端末３に対して、情報取得経緯も通知する。例えば、匿名アクセス提供装置２により、受信者である上司Ａの匿名化された電話番号が解決され、発信者端末１からの発呼が受信者端末３に着信される。なお、匿名アクセス提供装置２における匿名の解決は、あらかじめ匿名化機能７と共有済みの共有鍵を用いて行う。
【００４３】
［図２のステップＳ５］
着信時に、受信者端末３の仲介データ表示装置９が、受信者に対して仲介者の情報（情報取得経緯）を表示する。例えば、着信時に、受信者端末３の表示部において、「この電話番号は、仲介者Ｃの共有電話帳の上司として参照されています」といった形の仲介者の情報（情報取得経緯）を表示する。
【００４４】
以上説明したように、本発明の実施例によれば、以下の効果を奏する。
第１の効果は、他者の共有電話帳エントリを使用することによって、多くの人とより便利にコミュニケーションが取れることである。
第２の効果は、受信者の情報を隠蔽したまま発信者が受信者と連絡が取れることである。
第３の効果は、受信者に対して仲介者の情報（情報取得経緯）を表示することによって、受信者が誰の紹介で自分へのアクセス情報を入手したかを知ることができ、安心してコミュニケーションを取れることである。
【００４５】
なお、上記実施例において、下記のことも可能である。
・匿名化機能７により、仲介者の情報（情報取得経緯）を、匿名化された情報に含めるようにしてもよい。
・匿名化機能７により、匿名化された情報を用いて発信者が受信者に連絡を取ることのできる回数や時間などの期限を設定するようにしてもよい。
・受信者が発信者の発呼（アクセス）を許可した場合に、発信者端末１内の受信者情報の匿名性を排除するようにしてもよい。
・発信者の情報を匿名化した形で受信者へ提供するようにしてもよい。
・匿名化機能７を使用しないで公開レベルを設定できるようにしてもよい。
・仲介者端末４の共有電話帳エントリの公開レベルの設定は、共有電話帳５の保持者である仲介者だけではなく、受信者自身も行うことができるようにしてもよい。
・複数の仲介者を介して、匿名で連絡を取ることができるようにしてもよい。
・匿名化および匿名化された情報の解決は、共通鍵暗号方式のみに限らず、他の暗号方式でもよい。
・匿名化と匿名化された情報の解決は、暗号化を用いない方法でもよい。例えば、発信者が共有電話帳５から目的の電話番号を示すＩＤ（識別情報）を取得する。発信者はそのＩＤを用いて匿名アクセス提供装置２へ発信し、匿名アクセス提供装置２が共有電話帳５と通信し、受信者の電話番号を解決する。
・匿名化機能７により、匿名化された情報にＩＤ等（識別情報）を付加し、匿名アクセス提供装置２がそのＩＤを用いて共有電話帳５に問い合わせることによって、仲介者の情報（情報取得経緯）を入手し、受信者へ提供するようにしてもよい。
・匿名化機能７により、匿名化された情報にＩＤ等（識別情報）を付加し、仲介データ表示装置９がそのＩＤを元に共有電話帳５に問い合わせることによって、仲介者の情報（情報取得経緯）を受信者へ提供するようにしてもよい。
【００４６】
共有電話帳機能５は、仲介者端末４内ではなく、ネットワークを介した共有電話帳管理装置に置いてもよい。この場合の実施例を図３および図４に示し、以下に動作を説明する。
【００４７】
［図４のステップＳ１］
仲介者は、仲介者端末４を用いて、共有電話帳管理装置８に受信者の共有電話帳エントリを作成し、発信者が参照できるように公開レベルを設定する。
【００４８】
［図４のステップＳ２］
発信者は、共有電話帳管理装置８にアクセスし、仲介者の共有電話帳エントリを参照し、受信者の電話番号を取得する。この時、共有電話帳の匿名化機能７により、取得した電話番号は匿名化されている。
【００４９】
［図４のステップＳ３］
発信者は、匿名化された電話番号を用いて、匿名アクセス提供装置２に発信する。
【００５０】
［図４のステップＳ４］
匿名アクセス提供装置２は、匿名化された受信者の電話番号を解決し、発信者からの発呼が受信者へ着信する。
【００５１】
［図４のステップＳ５］
着信時に受信者端末３の仲介データ表示装置９が、受信者に対して仲介者の情報（情報取得経緯）を表示する。
【００５２】
以上、本発明の実施例について説明したが、上記実施例の記載に限定されるものではなく、その要旨を逸脱しない範囲において種々の変形が可能である。
【産業上の利用可能性】
【００５３】
本発明は、ネットワークを介したコミュニケーションサービスに適用できる。
【図面の簡単な説明】
【００５４】
【図１】本発明の実施例に係る通信システムの全体構成を示すブロック図である。
【図２】本発明の実施例に係る通信システムの動作（通信方法）を示すシーケンスチャートである。
【図３】本発明の他の実施例に係る通信システムの全体構成を示すブロック図である。
【図４】本発明の他の実施例に係る通信システムの動作（通信方法）を示すシーケンスチャートである。
【符号の説明】
【００５５】
１    発信者端末
２    匿名アクセス提供装置
３    受信者端末
４    仲介者端末
５    共有電話帳
６    電話帳エントリ管理機能
７    匿名化機能
８    共有電話帳管理装置
９    仲介データ表示装置
【図１】
2008193343.tif 000003
【図２】
2008193343.tif 000004
【図３】
2008193343.tif 000005
【図４】
2008193343.tif 000006